(57)【特許請求の範囲】
【請求項１】
ベースプレートに上下回動自在に装着したテープガイドアームと、テープガイドアームの先端部の回動軌跡上に配置されたテープキャッチ部と、モータによりテープガイドアームを下降及び上昇駆動する駆動機構を備え、粘着テープロールからテープガイドアームの先端を経由してテープキャッチ部へ粘着テープを架渡し、野菜や花卉等の被結束物をテープガイドアームの先端とテープキャッチ部との間へ挿入して粘着テープへ押し付けた後に、モータを起動させてテープガイドアームを下降駆動し、粘着テープを被結束物に巻き付けるとともに、カッターにより粘着テープの結束部分の後部を切断し、切断された粘着テープの両端を貼合わせる電動結束機であって、
電動結束機のテーブル上の任意の場所に載置可能なスイッチ形機械式センサを電源回路に接続し、電源回路にディレイタイマー回路およびディレイタイム調節回路を設け、
前記センサにより被結束物のテーブル上への挿入を検知してモータを起動させるとともに、前記センサの信号入力時からモータが起動する迄の時間を調節可能に形成した電動結束機の起動装置において、
上記スイッチ形機械式センサは電源回路に接続するマイクロスイッチを内蔵し、且つ、該マイクロスイッチをオンするためのレバーを水平方向に突設したスイッチボックスで構成されるとともに、該ボックス底面には前記テーブルの任意位置に固着し得る磁石が装着されてなり、
更に、上記ディレイタイマー回路およびディレイタイム調節回路は前記マイクロスイッチがオンしてから制御部が前記モータへの電源供給を開始する迄の時間を調節するために可変抵抗器によって調節可能に構成されており、上記モータを収容するモータハウジング上に設けた前記可変抵抗器のつまみによって各作業者に適するディレイタイミングを設定可能に形成されていることを特徴とする電動結束機の起動装置。
【請求項２】
ベースプレートに上下回動自在に装着したテープガイドアームと、テープガイドアームの先端部の回動軌跡上に配置されたテープキャッチ部と、モータによりテープガイドアームを下降及び上昇駆動する駆動機構を備え、粘着テープロールからテープガイドアームの先端を経由してテープキャッチ部へ粘着テープを架渡し、野菜や花卉等の被結束物をテープガイドアームの先端とテープキャッチ部との間へ挿入して粘着テープへ押し付けた後に、モータを起動させてテープガイドアームを下降駆動し、粘着テープを被結束物に巻き付けるとともに、カッターにより粘着テープの結束部分の後部を切断し、切断された粘着テープの両端を貼合わせる電動結束機であって、
電動結束機のテーブル上の任意の場所に載置可能な発光部と受光部とからなる光学式センサを電源回路に接続し、電源回路にディレイタイマー回路およびディレイタイム調節回路を設け、
前記センサにより被結束物のテーブル上への挿入を検知してモータを起動させるとともに、前記センサの信号入力時からモータが起動する迄の時間を調節可能に形成した電動結束機の起動装置において、
上記光学式センサはプレート上に前記発光部として設けられたＬＥＤと前記受光部として設けられたフォトダイオードとを対向させ配置して設けられ、前記プレートの底面には前記テーブルの任意位置に固着し得る磁石が装着されてなり、
更に、上記ディレイタイマー回路およびディレイタイム調節回路は前記光学式センサがオンしてから制御部が前記モータへの電源供給を開始する迄の時間を調節するために可変抵抗器によって調節可能に構成されており、上記モータを収容するモータハウジング上に設けた前記可変抵抗器のつまみによって各作業者に適するディレイタイミングを設定可能に形成されていることを特徴とする電動結束機の起動装置。
【発明の詳細な説明】
【０００１】
【発明の属する技術分野】
この発明は、電動結束機の起動装置に関するものであり、特に、操作性を改良した電動結束機の起動装置に関するものである。
【０００２】
【従来の技術】
従来、野菜や花卉等の束を粘着テープにて縛る電動結束機が知られている。此種の電動結束機は、ベースフレームに取り付けた上下回動自在なテープガイドアームと、ベースフレーム上に設けられてテープガイドアームの先端部位に対向するテープキャッチ部、及びテープガイドアームを回転駆動するモータとによって構成されている。
【０００３】
結束作業を行う際は、ベースフレーム上のテープロールホルダに粘着テープロールを装填し、粘着テープロールから粘着テープを引き出し、テープガイドアームの先端部のローラを経由してベースフレーム上のテープキャッチ部に先端を保持させれば作業可能な状態となる。
【０００４】
テープガイドアームの先端部からテープキャッチ部に架け渡された粘着テープは、粘着層が外側（テープガイドアームの先端方向）を向いていて、野菜の束をテープガイドアームの前方からテープガイドアームとテープキャッチ部との間を通して挿入し、粘着テープに押しつけた状態で手動式のプッシュスイッチまたはフットスイッチを押せば、モータが起動してテープガイドアームが下降する。これにより、テープガイドアームの先端部とテープキャッチ部との間の粘着テープが野菜に巻き付けられ、テープガイドアームに設けられているカッターによって粘着テープが切断されるとともに、野菜に巻回されたテープの後部をテープガイドアームの先端のローラが野菜の束の外周面に沿って貼付け、粘着テープの両端が重ね合わされた状態で結束される。
【０００５】
【発明が解決しようとする課題】
従来の電動結束機の操作方法は、手で野菜等をテープガイドアームとテープキャッチ部との間に挿入し、手または足でスイッチを操作してモータを起動させる二段階の操作を要するので作業に時間がかかり、より迅速に１サイクルの作業を実行できる電動結束機が要望されている。
【０００６】
そこで、野菜等をテープガイドアームとテープキャッチ部との間に挿入すれば、モータが自動的に起動して１サイクルの結束作業が実行されるようにして、操作性及び作業能率を向上するために解決すべき技術的課題が生じてくるのであり、本発明は上記課題を解決することを目的とする。
【０００７】
【課題を解決するための手段】
本発明は上記目的を達成するために提案するものであり、ベースプレートに上下回動自在に装着したテープガイドアームと、テープガイドアームの先端部の回動軌跡上に配置されたテープキャッチ部と、モータによりテープガイドアームを下降及び上昇駆動する駆動機構を備え、粘着テープロールからテープガイドアームの先端を経由してテープキャッチ部へ粘着テープを架渡し、野菜や花卉等の被結束物をテープガイドアームの先端とテープキャッチ部との間へ挿入して粘着テープへ押し付けた後に、モータを起動させてテープガイドアームを下降駆動し、粘着テープを被結束物に巻き付けるとともに、カッターにより粘着テープの結束部分の後部を切断し、切断された粘着テープの両端を貼合わせる電動結束機であって、電動結束機のテーブル上の任意の場所に載置可能なスイッチ形機械式センサを電源回路に接続し、電源回路にディレイタイマー回路およびディレイタイム調節回路を設け、前記センサにより被結束物のテーブル上への挿入を検知してモータを起動させるとともに、前記センサの信号入力時からモータが起動する迄の時間を調節可能に形成した電動結束機の起動装置において、
上記スイッチ形機械式センサは電源回路に接続するマイクロスイッチを内蔵し、且つ、該マイクロスイッチをオンするためのレバーを水平方向に突設したスイッチボックスで構成されるとともに、該ボックス底面には前記テーブルの任意位置に固着し得る磁石が装着されてなり、更に、上記ディレイタイマー回路およびディレイタイム調節回路は前記マイクロスイッチがオンしてから制御部が前記モータへの電源供給を開始する迄の時間を調節するために可変抵抗器によって調節可能に構成されており、上記モータを収容するモータハウジング上に設けた前記可変抵抗器のつまみによって各作業者に適するディレイタイミングを設定可能に形成されている電動結束機の起動装置、
及び、
ベースプレートに上下回動自在に装着したテープガイドアームと、テープガイドアームの先端部の回動軌跡上に配置されたテープキャッチ部と、モータによりテープガイドアームを下降及び上昇駆動する駆動機構を備え、粘着テープロールからテープガイドアームの先端を経由してテープキャッチ部へ粘着テープを架渡し、野菜や花卉等の被結束物をテープガイドアームの先端とテープキャッチ部との間へ挿入して粘着テープへ押し付けた後に、モータを起動させてテープガイドアームを下降駆動し、粘着テープを被結束物に巻き付けるとともに、カッターにより粘着テープの結束部分の後部を切断し、切断された粘着テープの両端を貼合わせる電動結束機であって、電動結束機のテーブル上の任意の場所に載置可能な発光部と受光部とからなる光学式センサを電源回路に接続し、電源回路にディレイタイマー回路およびディレイタイム調節回路を設け、
前記センサにより被結束物のテーブル上への挿入を検知してモータを起動させるとともに、前記センサの信号入力時からモータが起動する迄の時間を調節可能に形成した電動結束機の起動装置において、
上記光学式センサはプレート上に前記発光部として設けられたＬＥＤと前記受光部として設けられたフォトダイオードとを対向させ配置して設けられ、前記プレートの底面には前記テーブルの任意位置に固着し得る磁石が装着されてなり、更に、上記ディレイタイマー回路およびディレイタイム調節回路は前記光学式センサがオンしてから制御部が前記モータへの電源供給を開始する迄の時間を調節するために可変抵抗器によって調節可能に構成されており、上記モータを収容するモータハウジング上に設けた前記可変抵抗器のつまみによって各作業者に適するディレイタイミングを設定可能に形成されている電動結束機の起動装置を提供するものである。
【０００８】
【発明の実施の形態】
以下、この発明の実施の一形態を図に従って詳述する。図１は電動結束機１を示し、結束機構は従来公知の構成であり、ベースフレーム２の前後中間部位にアーム軸受部３とテープロールホルダ部４とが立設され、アーム軸受部３にテープガイドアーム５が取付けられている。ベースフレーム２の前部にはテープキャッチ部６が配置されており、テープキャッチ部６の支持フレーム７とアーム軸受部３との間にテーブル８が架設されている。
【０００９】
ベースフレーム２の後部のモータハウジング９内にはモータ、テープガイドアーム駆動機構、電気回路が内蔵されており、テープガイドアーム駆動機構とテープガイドアーム５とは図に表れないリンクによって連結されていて、リンクが前後に往復運動することによりテープガイドアーム５の先端部が上部待機位置から一旦下降して上部待機位置へ戻る１サイクルの往復動作をする。
【００１０】
テープロールホルダ部４に装填した粘着テープロールから引き出された粘着テープＴは、テープガイドアーム５の先端部のガイドローラ１０を経由し、テープキャッチ部６によって先端が保持されている。
【００１１】
テープロールホルダ部４のロール支持軸には摩擦ブレーキ（図示せず）が介装されており、テープガイドアーム５の軸に設けたラチェット爪により摩擦ブレーキがオンオフされる。即ち、テープガイドアーム５が下降する際は摩擦ブレーキはオンしていて粘着テープＴは引き出されず、粘着テープＴは緊張状態で野菜等の被結束物束に巻き付けられる。そして、結束後にテープガイドアーム５が上昇するときは、テープガイドアーム５と連動して回転するラチェット爪が摩擦ブレーキに係合してブレーキを解除し、粘着テープロールから粘着テープＴが引き出される。
【００１２】
テープキャッチ部６は、図に表れない主軸に支持されるローラホルダに二組のローラと押さえ板とが１８０度回転対称位置に配置され、ローラホルダが回転することにより二組のローラと押さえ板は主軸に対して公転する。
【００１３】
結束時にテープガイドアーム５が下降すると、テープガイドアーム５に設けたカッター刃（図示せず）によりローラホルダの二個のローラの中間で粘着テープが切断され、前端側（テープ経路の下流側）のローラと押さえ板とによりテープロール側の粘着テープの先端部を挟んで保持し、結束終了後にローラホルダが１８０度回転して粘着テープの先端部を後方位置にセットしてスタンバイ状態となる。
【００１４】
テーブル８上に載置されているスイッチボックス１１はマイクロスイッチを内蔵しており、スイッチボックス１１から水平方向へ突出しているレバー１２が下方へ押されるとマイクロスイッチがオンする構造となっている。マイクロスイッチはケーブル１３によってモータハウジング９内の電源回路に接続されている。
【００１５】
また、スイッチボックスは底面に磁石が装着されており、結束する野菜の形状や本数に応じてテーブル８上のスイッチボックスの位置を任意に変更することができる。
【００１６】
図２に示すように、電源回路１４にはディレイタイマー回路１５が設けられていて、マイクロスイッチ１６がオンしてから制御部１７がモータ１８への電源供給を開始するまでの時間を可変抵抗器１９によって調節することができるように構成している。
【００１７】
野菜の束をテープガイドアーム５とテープキャッチ部６との間に挿入してスイッチボックス１１のレバー１２が下方へ押されると、マイクロスイッチ１６がオンして自動的にモータ１８が起動する。これにより、テープガイドアーム５が１サイクルの往復運動を行って野菜が粘着テープによって結束されるが、作業者の熟練度の相違によって適切な起動タイミングが異なり、非熟練者の場合は起動タイミングを遅らせたほうが良い場合がある。即ち、熟練者においては野菜の挿入を検知すると同時にモータ１８を起動させることにより作業の迅速化が図れるが、作業に不慣れな非熟練者は野菜挿入とモータ１８及びテープガイドアーム５の起動とにタイムラグがないと結束に失敗することがある。
【００１８】
そこで、ディレイタイマー回路１５と可変抵抗器１９により、マイクロスイッチ１６がオンしてから制御部１７がモータ１８への電源供給を開始するまでの時間を０〜約２sec 程度に調節可能に構成しており、モータハウジング９上の可変抵抗器のつまみ２０により各人に適したディレイタイミングに設定可能である。
【００１９】
尚、この発明は上記の実施形態に限定するものではなく、例えば、スイッチボックス１１に代えてプレート上にＬＥＤとフォトダイオードとを対向させて配置した光学式非接触センサを用いてもよく、この発明の技術的範囲内において種々の改変が可能であり、この発明がそれらの改変されたものに及ぶことは当然である。
【００２０】
【発明の効果】
以上説明したように、本発明は、電動結束機のベースプレート上の任意の場所に設置できるセンサにより被結束物を検知してモータを起動させるので、即ち、上記機械式センサに供するマイクロスイッチ内蔵のスイッチボックスの底面、又は、光学式センサを配置したプレートの底面に磁石を装着して、結束する野菜の形状に応じてセンサのテーブル上の位置を任意に変更することができるため、野菜等の束をテープガイドアームとテープキャッチ部との間に挿入して粘着テープに押しつければ、モータが自動的に起動して１サイクルの結束動作が実行され、従来の電動結束機とは異なり、起動スイッチの人為操作が不要となって作業性が向上する。
【００２１】
また、センサが被結束物の挿入を検知してからモータが起動するまでの時間を調節できるので、即ち、ディレイタイマー回路およびディレイタイム調節回路は、前記マイクロスイッチがオンしてから、若しくは、前記光学式センサがオンしてから、制御部が前記モータへの電源供給を開始する迄の時間を調節するために可変抵抗器によって調節可能に構成されており、上記モータを収容するモータハウジング上に設けた前記可変抵抗器のつまみによって各作業者に適するディレイタイミングを設定可能に形成されているから、作業者の熟練度に応じた起動タイミングに設定でき、失敗が無く且つ能率的に結束作業を行える。
【図面の簡単な説明】
【図１】本発明の実施の一形態を示し、電動結束機の斜視図。
【図２】電動結束機の起動装置のブロック図。
【符号の説明】
１        電動結束機
２        ベースフレーム
４        テープロールホルダ部
５        テープガイドアーム
６        テープキャッチ部
８        テーブル
１１        スイッチボックス
１２        レバー
１３        ケーブル
１６        マイクロスイッチ
１８        モータ
１９        可変抵抗器
【図１】
0003716689.tif 000002
【図２】
0003716689.tif 000003